(57)【特許請求の範囲】
【請求項１】
吸着ローラーの回転によりパチンコ球を吸着して球受け皿に集拾するパチンコ球集拾機であって、
前記パチンコ球集拾機は、向かい合う２つの側枠を有するコ型枠体と、該枠体の後部に取付けたハンドル杆と、前記向かい合う側枠間の後部側に設けられる球受け皿嵌合部と、前記向かい合う２つの側枠の前部側に回転自由に備えられた車輪とを有するハンドル杆付走行枠体と、
前記向かい合う２つの側枠間に前記車輪と同一軸線上に支承されるとともに、前記車輪とは無関係に回転軸支され、かつ前記車輪の径より小径であるパチンコ球を吸着するための磁石付き吸着ローラーと、
前記球受け皿嵌合部に着脱可能かつ、前記吸着ローラーに吸着されたパチンコ球を掬うための先端掬い部を備える球受け皿と、
前記側枠内に内蔵されるとともに、前記吸着ローラーのローラー軸に連結され、前記吸着ローラーが吸着したパチンコ球が前記球受け皿の前記先端掬い部により掬われ前記球受け皿に入る方向に前記吸着ローラーを回転駆動する駆動手段と、
前記パチンコ球集拾機は、前記車輪を用いて移動可能であり、かつ前記駆動手段により前記吸着ローラーを回転させて該吸着ローラーでパチンコ球を吸着し、吸着したパチンコ球を前記先端掬い部で掬い、前記球受け皿に入れるものとなっていることを特徴とするパチンコ球集拾機。
【請求項２】
吸着ローラーの回転によりパチンコ球を吸着して球受け皿に集拾するパチンコ球集拾機であって、
前記パチンコ球集拾機は、向かい合う２つの側枠を有するコ型枠体と、該枠体の後部に取付けたハンドル杆と、前記向かい合う側枠間の後部側に設けられる球受け皿嵌合部と、前記向かい合う２つの側枠の前部側に回転自由に備えられた車輪とを有するハンドル杆付走行枠体と、
前記向かい合う２つの側枠間に前記車輪と同一軸線上に支承されるとともに、前記車輪とは無関係に回転軸支され、かつ前記車輪の径より小径であるパチンコ球を吸着するための吸着ローラーと、
前記側枠内に内蔵されるとともに、前記吸着ローラーのローラー軸に連結され、前記吸着ローラーを該吸着ローラーが吸着したパチンコ球を前記球受け皿に入れる方向に回転駆動する駆動手段と、
前記球受け皿嵌合部に着脱可能かつ、前記吸着ローラーに吸着されたパチンコ球を掬うための先端掬い部を備える球受け皿とを備え、
前記吸着ローラーは、外周面にパチンコ球が入る間隔を有する複数の環状凸部と、該環状凸部の表面に被着された断面コ字型帯磁石とを備え、
前記球受け皿は、前記先端掬い部に前記吸着ローラーの環状凹凸部に嵌合しうる凹凸部を備え、
前記パチンコ球集拾機は、前記車輪を用いて移動可能であり、かつ、前記駆動手段により吸着ローラーを回転させて該吸着ローラーの前記環状凹凸部でパチンコ球を吸着し、吸着したパチンコ球を前記先端掬い部の凹凸部で掬い、前記球受け皿に入れるものとなっていることを特徴とするパチンコ球集拾機。
【発明の詳細な説明】
【０００１】
【発明の属する技術分野】
この発明はパチンコホールで使用するパチンコ球を拾い集めるパチンコ球集拾機に関するものである。
【０００２】
【従来の技術】
従来、パチンコホールでは遊戯者が景品玉の入った箱、通称ドル箱を運ぶ途中で誤ってパチンコ球を床に落として散乱させたとき、或いは遊戯者が遊戯中に落とすパチンコ球がホールの床にこぼれ落ちて散らばっているのを手で拾い集めるのは手間がかかるので、ホール側の従業員が先端に磁石を備え、かつ手元のレバー又はスイッチ操作で磁石を吸着と落下に切替えるようにした吸着機を使用してパチンコ球を吸着させて拾い集めることが行われている。
【０００３】
【発明が解決しようとする課題】
しかし、従来の吸着機では、手で持って床面に球が散乱した所でいちいちレバー又はスイッチ操作で吸着し、球を入れる回収容器に移して磁石の吸着を切って球を落とすことを何度も繰り返さなければならないので、ドル箱をひっくり返して一面に球が散乱した時には、拾い集めるのに時間がかかり、しかもこの吸着機は重いので手で持って繰り返し行うことは、従業員にとって面倒な作業であった。
【０００４】
この発明は前記した問題点を解決するもので、手押しで移動して吸着ローラーで床面に散らばったパチンコ球を吸着して後部に備えた球受け皿に掬い入れて簡単かつ迅速に集拾できるようにしたパチンコ球集拾機を提供することを目的とする。
【０００５】
【課題を解決するための手段】
この発明の請求項１のパチンコ球集拾機は、吸着ローラーの回転によりパチンコ球を吸着して球受け皿に集拾するパチンコ球集拾機であって、
前記パチンコ球集拾機は、向かい合う２つの側枠を有するコ型枠体と、該枠体の後部に取付けたハンドル杆と、前記向かい合う側枠間の後部側に設けられる球受け皿嵌合部と、前記向かい合う２つの側枠の前部側に回転自由に備えられた車輪とを有するハンドル杆付走行枠体と、
前記向かい合う２つの側枠間に前記車輪と同一軸線上に支承されるとともに、前記車輪とは無関係に回転軸支され、かつ前記車輪の径より小径であるパチンコ球を吸着するための磁石付き吸着ローラーと、
前記球受け皿嵌合部に着脱可能かつ、前記吸着ローラーに吸着されたパチンコ球を掬うための先端掬い部を備える球受け皿と、
前記側枠内に内蔵されるとともに、前記吸着ローラーのローラー軸に連結され、前記吸着ローラーが吸着したパチンコ球が前記球受け皿の前記先端掬い部により掬われ前記球受け皿に入る方向に前記吸着ローラーを回転駆動する駆動手段と、
前記パチンコ球集拾機は、前記車輪を用いて移動可能であり、かつ前記駆動手段により前記吸着ローラーを回転させて該吸着ローラーでパチンコ球を吸着し、吸着したパチンコ球を前記先端掬い部で掬い、前記球受け皿に入れるものとなっていることを特徴とするものである。
【０００６】
前記構成とした第１の発明によれば、ハンドル杆付走行枠体を手で押したり、引いたりして移動すると、車輪は前後に回転するが、吸着ローラーはそれとは無関係に内蔵した駆動手段で常にパチンコ球を球受け皿に入れる方向に回転駆動され、該吸着ローラーでパチンコ球を吸着し、吸着したパチンコ球を前記先端掬い部で掬い、前記球受け皿に入れることができる。
【０００７】
また、車輪と吸着ローラーを同一軸線上とし、吸着ローラーの径は車輪より小径としたので、パチンコ球に乗り上げることなく、的確に吸着できる。
【０００８】
この発明の請求項２のパチンコ球集拾機は、吸着ローラーの回転によりパチンコ球を吸着して球受け皿に集拾するパチンコ球集拾機であって、
前記パチンコ球集拾機は、向かい合う２つの側枠を有するコ型枠体と、該枠体の後部に取付けたハンドル杆と、前記向かい合う側枠間の後部側に設けられる球受け皿嵌合部と、前記向かい合う２つの側枠の前部側に回転自由に備えられた車輪とを有するハンドル杆付走行枠体と、
前記向かい合う２つの側枠間に前記車輪と同一軸線上に支承されるとともに、前記車輪とは無関係に回転軸支され、かつ前記車輪の径より小径であるパチンコ球を吸着するための吸着ローラーと、
前記側枠内に内蔵されるとともに、前記吸着ローラーのローラー軸に連結され、前記吸着ローラーを該吸着ローラーが吸着したパチンコ球を前記球受け皿に入れる方向に回転駆動する駆動手段と、
前記球受け皿嵌合部に着脱可能かつ、前記吸着ローラーに吸着されたパチンコ球を掬うための先端掬い部を備える球受け皿とを備え、
前記吸着ローラーは、外周面にパチンコ球が入る間隔を有する複数の環状凸部と、該環状凸部の表面に被着された断面コ字型帯磁石とを備え、
前記球受け皿は、前記先端掬い部に前記吸着ローラーの環状凹凸部に嵌合しうる凹凸部を備え、
前記パチンコ球集拾機は、前記車輪を用いて移動可能であり、かつ、前記駆動手段により吸着ローラーを回転させて該吸着ローラーの前記環状凹凸部でパチンコ球を吸着し、吸着したパチンコ球を前記先端掬い部の凹凸部で掬い、前記球受け皿に入れるものとなっていることを特徴とする。
【０００９】
前記構成とした第２の発明によれば、ハンドル杆付走行枠体を移動中、吸着ローラーの環状の凹凸部間にパチンコ球が入って吸着され、そのローラーの回転で上方にあげ、吸着ローラーの環状の凹凸部に嵌合した球受け皿の先端の凹凸状掬い部で各凹部に吸着した球を掬って球受け皿に入れるようにしてある。又凹凸部で吸着ローラーに嵌合して位置決めするので、球受け皿が横にずれることがない。
【００１０】
【発明の実施の形態】
図１乃至図４に示すこの発明の実施形態としては、ハンドル杆２を付けた走行枠体１の側枠１ａ、１ａ間の後部に球受け皿３を受ける球受け皿嵌合部４を設け、かつその両側枠１ａ、１ａの前部に、環状の車輪支承部５ａとローラー軸の軸受部５ｂとを有する支持体５を設け、その車輪支承部５ａの外周に車輪６を回転自在に備え、かつ、その軸受部５ｂに吸着ローラー７を車輪６の軸線と同一軸上で車輪６の回転とは無関係に軸支し、その吸着ローラー７のローラー軸１４と前記側枠に内蔵したモーター等駆動手段８の駆動軸を連結し、駆動手段８の作動により吸着ローラー７を矢印のように後方へ回転駆動するようにしてある。又枠体の後部中央には方向自在な補助輪１１を備えて走行枠体１を安定して走行可能としてある。この実施形態では車輪と吸着ローラーを同一軸線上に備えてあるが、これに限られるものではなく、車輪と吸着ローラーを別個に設けてもよい。又後輪は枠体の中央に設けてあるが、これに限られるものではない。
【００１１】
前記吸着ローラー７はその外周面にパチンコ球が入る間隔Ｌを存して複数の環状凸部７ａを設け、その環状凸部７ａの表面に帯磁石９を固定してある。この吸着ローラー７の直径は車輪６の直径より小径として走行枠体１の移動時に床面に落ちているパチンコ球に乗り上げることなく、パチンコ球が凹部に入り、環状凸部７ｂ間の帯磁石９にパチンコ球を吸着できるようにしてある。
【００１２】
図６において球受け皿３は多数のパチンコ球を受入れできる皿部を有し、かつその両側に受け部３ｂを有し、かつ又その先端の掬い部３ａに前記ローラー７の環状凹凸部に嵌合しうる凹凸部１０を形成してあり、これを前記球受け皿嵌合部４に取り外し自由に嵌合するようにしてある。而して、凹凸部１０は吸着ローラー７の凸部７ａに被着した帯磁石９間に嵌めることになり、その凹凸部１０の凸部間の球を掬う凹部は球が通る間隔を要する。
【００１３】
ハンドル杆２は走行枠体１の固定的に設けるか、或いは上下回動自由に取り付ける。このハンドル杆２の適所にバッテリＢ、スイッチＳを設け、走行枠体１のモーター８とスイッチＳ、バッテリＢを接続し、パチンコ球を拾い集める時に走行枠体１をハンドル杆２で押して移動し、スイッチＳをＯＮとすることにより、モーター８を駆動して吸着ローラー７を後方に回転して床面Ａに散乱しているパチンコ球が吸着ローラー７の帯磁石９間に入って吸着され、吸着ローラーの後方への回転で吸着した球を上方に運び、吸着ローラー７の後部の凹凸部に嵌合した球受け皿３の凹凸部とした先端掬い部３ａでその球を掬って球受け皿に集め、集め終わると、その球受け皿を取り外して、例えば、ホール側の所定の場所の回収容器等に入れるようにしてある。
【００１４】
以上の実施形態で一例を示したが、この発明はこの形態に限定されるものではなく、この発明の要旨を逸脱しない範囲において、様々な形態で実施しうるものである。
【００１５】
【実施例】
以下にこの発明を図面に示す実施例に基づいて説明する。
図１乃至図４において、１はコ型とした合成樹脂製等の走行枠体で、その中央に上部に握り部２ａを有するハンドル杆２を回動自在に取り付けてある。この走行枠体１のコ型に囲まれた側枠１ａ、１ａ間の後部の空間を球受け皿３を受ける球受け皿嵌合部４とし、球受け皿３の両側の受け部３ｂを側枠１ａに受けるようにしてある。又その球受け皿３の先端掬い部３ａは後述の吸着ローラーの凹凸部に嵌合して球を掬うようにセットできるようにする。
【００１６】
車輪６は前記側枠１ａ、１ａの前部に設けた円筒状支持体５の外周の環状車輪支承部５ａに前後回転自由に備え、また、枠体１の後部の下面中央に小径の補助輪１１を方向自在に取り付け、ハンドル杆２を押して走行枠体１を自由に前進、後進できるようにしてある。１２は側枠１ａの外側に嵌めて取り付けたカバーであり、実施例ではカバーの内部に駆動手段のモーター８を備えてある。モーター８としては例えばステッピングモーターを用いる。又ハンドル杆２は先端の軸部を走行枠体１の中央部の支承部に回転自在に備えた球体に嵌合してハンドル杆の軸部を回動自在に結合し、その外面をカバー１３で覆ってあり、ハンドル杆２は走行枠体１に対して回動自由としてある。ハンドル杆と走行枠体の連結構造は実施例のものに限るものではない。
【００１７】
磁石付吸着ローラー７は直径を車輪６の直径より小径として、外周面にパチンコ球が入る間隔Ｌを存して複数の環状凸部７ａを並行に形成し、その環状凸部７ａの表面に断面コ字型に帯磁石９を被着して、パチンコ球を凸部の帯磁石９に吸着できるようにしてある。環状凸部７ａの下面は床面Ａとの間にパチンコ球が入らないようにし、環状の凸部間の凹部７ｂには床面Ａとの間にパチンコ球が入るようにして凸部の帯磁石９に吸着できるようにしてある。環状凸部７ａの断面は両側にテーパーを付けた山型とするのが好ましい。
【００１８】
この吸着ローラー７は前記車輪６と同一軸線上で、両側に固定したローラー軸１４を側枠に設けた支持体５、５の軸受部５ｂ、５ｂの支持孔１５に回転自由に軸支し、そのローラー軸１４の一端を片側の枠体１ａの内部に備えたモーター８の駆動軸と連結し、モーター８により吸着ローラー７を車輪６とは無関係に後方へ回動させ、吸着ローラー７で吸着したパチンコ球を前方より上方へ回わし後方の球受け皿３へ運ぶようにしてある。
【００１９】
図６において、球受け皿３は合成樹脂製皿体の両側にＬ型に受け片３ｂを設け、その受け片３ｂを側枠１ａに載せるように設け、かつ先端に凹凸状の先端掬い部３ａを設け、球受け皿の掬い部３ａに吸着ローラー７の後面の凹凸に嵌合する凹凸部１０を設ける。実施例では、この球受け皿３を前記コ型に囲まれた空間に嵌合し受け片３ｂで受けて備えるようにしてあるが、これに限定されるものではなく、例えば枠体のコ型に囲まれるところに受け部を設けて吸着ローラー７の後面の凹凸部に先端を嵌合した球受け皿を載せるようにしてもよい。
【００２０】
ハンドル杆２には上部の握り部２ａに手で握るとスイッチがＯＮとなり、離すとＯＦＦとなるスイッチＳを設け、かつ中央部にバッテリケース１６を設け、バッテリ装填部に駆動手段８の電源としてバッテリＢを備え、駆動手段のモーター８とバッテリＢ、スイッチＳを接続してスイッチのＯＮ，ＯＦＦで駆動手段のモーター８を駆動又は停止するようにしてある。充電式バッテリＢは電源コードを差込んで充電できるようにしてある。なお、上記実施例では、電源のバッテリを機体に取り付けて移動可能としたが、これに限るものではなく、機体のバッテリのコードのプラグをホール側の電源のコンセントに接続して使用できるようにしてもよい。
【００２１】
図１において、ハンドル杆２の握り部２ａは２等辺三角形とした両手持ちで、その握りの内側にスイッチＳを備えてある。図５にハンドル杆２の握り部２ａの別の実施例を示す。この握りは直角三角形で片手持ちで、同じく内部にスイッチＳを設けてある。ハンドルの形状、スイッチの位置、バッテリケースの位置等は実施例のものに限定されるものではない。
【００２２】
【発明の効果】
この発明の請求項１のパチンコ球集拾機によれば、遊戯者が床面に誤って散乱させたり、遊戯中に球受け皿等からこぼれ落ちて、パチンコホールの床面に散らばっているパチンコ球を拾い集めるとき、ハンドル杆を押して移動することにより、床のパチンコ球は吸着ローラーの吸着面に吸着されて上方へ運ばれ、吸着ローラー後面に嵌合した球受け皿の掬い部でその球を掬って球受け皿に迅速かつ的確に集めることができ、集めた球は球受け皿ごと外してホール側の所定の場所、例えば回収容器に入れることができ、パチンコ球集拾作業を短時間でしかも楽に行うことができて甚だ便利である。
【００２３】
そして、車輪と吸着ローラーを同一軸線上に設けたので、コンパクトにでき、吸着ローラーは車輪より小径としてあるので、吸着ローラーがパチンコ球に乗り上げることなく、走行枠体の移動時に吸着ローラーにパチンコ球を的確に吸着することができる。
【００２４】
請求項２の発明によれば、吸着ローラーの外周に帯磁石を付けた複数の環状凸部を並行に設けたので、吸着ローラーを移動時に床面に散乱するパチンコ球はその凸部の間に入って吸着され、確実に後方への回転で後方へ運ぶことができ、しかもそのローラーの凹凸部に凹凸状とした球受け皿の先端掬い部を嵌合したので、吸着ローラーの各凹部に吸着された球を掬い部で的確に掬って皿体に入れることができ、便利である。また、その凹凸部で吸着ローラーに嵌合するので、球受け皿の位置決めが簡単で、球受け皿が横にずれることなく吸着ローラーに的確にセットできる。
【図面の簡単な説明】
【図１】この発明のパチンコ球集拾機の斜視図である。
【図２】同一部破断側面図である。
【図３】同一部破断平面図である。
【図４】同一部破断正面図である。
【図５】ハンドル杆の握り部の別の実施例を示す斜視図である。
【図６】球受け皿の斜視図である。
【符号の説明】
１…走行枠体、２…ハンドル杆、３…球受け皿、４…球受け皿嵌合部、６…車輪、７…吸着ローラー、７ａ…環状凸部、７ｂ…環状凹部、８…モーター、９…帯磁石、Ｓ…スイッチ、Ｂ…バッテリ。
【図１】
0004080559.tif 000002
【図２】
0004080559.tif 000003
【図３】
0004080559.tif 000004
【図４】
0004080559.tif 000005
【図５】
0004080559.tif 000006
【図６】
0004080559.tif 000007